(57)【要約】  本発明は、スマートホームの初期化方法、装置、プログラム及び記録媒体に関する。前記方法は、対象機器が再生した初期化音声信号を受信するステップと、予め記憶された予定の文字と予定の文字のソースデータとの対応関係に応じて、初期化音声信号をデコードすることにより、初期化データのソースデータを取得するステップと、初期化データのソースデータに応じて、スマートホームの初期化を行うステップと、を含み、初期化音声信号はスマートホームの初期化データのソースデータをエンコードして得られる対象文字の音声信号であり、予定の文字は少なくとも対象文字を含む。当該技術案によれば、スマートデバイスと対象機器におけるハードウェア及び通信距離について過度な要求を必要としない上で、初期化音声信号により初期化データの入力効率を向上させ、且つスマートホームに対する初期化操作を自動的に完成させることができる。【選択図】図１
2019525267.tif 000002
【特許請求の範囲】
【請求項１】
対象機器が再生した初期化音声信号を受信するステップと、
予め記憶された予定の文字と前記予定の文字のソースデータとの対応関係に応じて、前記初期化音声信号をデコードすることにより、初期化データのソースデータを取得するステップと、
前記初期化データのソースデータに応じて、スマートホームの初期化を行うステップと、を含み、
前記初期化音声信号は前記スマートホームの前記初期化データのソースデータをエンコードして得られる対象文字の音声信号であり、
前記予定の文字は少なくとも前記対象文字を含むことを特徴とするスマートホームの初期化方法。
【請求項２】
予め記憶された前記予定の文字と前記予定の文字のソースデータとの対応関係に応じて、前記初期化音声信号をデコードすることにより、前記初期化データのソースデータを取得するステップは、
前記初期化音声信号に対して認識を行い、前記対象文字を取得するステップと、
前記予定の文字と前記予定の文字のソースデータとの対応関係及び前記対象文字に応じて、前記初期化データのソースデータを取得するステップと、を含むことを特徴とする請求項１に記載のスマートホームの初期化方法。
【請求項３】
前記初期化音声信号に対して認識を行い、前記対象文字を取得するステップの前に、前記方法は、
前記予定の文字の音声信号に応じて、前記スマートホームに対してトレーニングを行うことにより、前記スマートホームに前記予定の文字を認識させるステップと、
前記予定の文字と前記予定の文字のソースデータとを対応づけて記憶し、前記対応関係を取得するステップと、をさらに含むことを特徴とする請求項２に記載のスマートホームの初期化方法。
【請求項４】
前記対象文字は、前記対象機器により前記予定の文字と前記予定の文字のソースデータとの対応関係に応じて、前記初期化データのソースデータをエンコードして得られる文字であることを特徴とする請求項１に記載のスマートホームの初期化方法。
【請求項５】
前記初期化データのソースデータは前記初期化データの２進コード、８進コード及び１６進コード中の少なくとも１つを含むことを特徴とする請求項１から請求項４のうちいずれか１項に記載のスマートホームの初期化方法。
【請求項６】
前記初期化データのソースデータに応じて前記スマートホームの初期化を行うステップは、
前記初期化データのソースデータに応じて、前記スマートホームがネットワーク接続操作を行うように制御するステップと、
前記初期化データのソースデータに応じて、前記スマートホームに対応するユーザー情報を保存するステップと、
前記初期化データのソースデータに応じて選択可能な機能オプションを表示するステップ中の少なくとも１つを含むことを特徴とする請求項１から請求項４のうちいずれか１項に記載のスマートホームの初期化方法。
【請求項７】
対象機器が再生した初期化音声信号を受信するために用いられる受信モジュールと、
予め記憶された予定の文字と前記予定の文字のソースデータとの対応関係に応じて、前記初期化音声信号をデコードすることにより、初期化データのソースデータを取得するために用いられるデコードモジュールと、
前記初期化データのソースデータに応じてスマートホームの初期化を行うために用いられる初期化モジュールと、を含み、
前記初期化音声信号は前記スマートホームの前記初期化データのソースデータをエンコードして得られる対象文字の音声信号であり、
前記予定の文字は少なくとも前記対象文字を含むことを特徴とするスマートホームの初期化装置。
【請求項８】
前記デコードモジュールは、
前記初期化音声信号に対して認識を行い、前記対象文字を取得するために用いられる認識サブモジュールと、
前記予定の文字と前記予定の文字のソースデータとの対応関係及び前記対象文字に応じて、前記初期化データのソースデータを取得するために用いられる取得サブモジュールと、を含むことを特徴とする請求項７に記載のスマートホームの初期化装置。
【請求項９】
前記初期化音声信号に対して認識を行い、前記対象文字を取得する前に、前記予定の文字の音声信号に応じて前記スマートホームに対してトレーニングを行うことにより、前記スマートホームに前記予定の文字を認識させるために用いられるトレーニングモジュールと、
前記予定の文字と前記予定の文字のソースデータとを対応づけて記憶し、前記対応関係を取得するために用いられる取得モジュールと、をさらに含むことを特徴とする請求項８に記載のスマートホームの初期化装置。
【請求項１０】
前記対象文字は、前記対象機器により前記予定の文字と前記予定の文字のソースデータとの対応関係に応じて、前記初期化データのソースデータをエンコードして得られる文字であることを特徴とする請求項７に記載のスマートホームの初期化装置。
【請求項１１】
前記初期化データのソースデータは前記初期化データの２進コード、８進コード及び１６進コード中の少なくとも１つを含むことを特徴とする請求項７から請求項１０のうちいずれか１項に記載のスマートホームの初期化装置。
【請求項１２】
前記初期化データのソースデータに応じて前記スマートホームの初期化を行うことは、
前記初期化データのソースデータに応じて前記スマートホームがネットワーク接続操作を行うように制御することと、
前記初期化データのソースデータに応じて前記スマートホームに対応するユーザー情報を保存することと、
前記初期化データのソースデータに応じて選択可能な機能オプションを表示すること中の少なくとも１つを含むことを特徴とする請求項７から請求項１０のうちいずれか１項に記載のスマートホームの初期化装置。
【請求項１３】
プロセッサーと、
前記プロセッサーで実行可能な命令を記憶するためのメモリとを備え、
前記プロセッサーは、
対象機器が再生した初期化音声信号を受信し、
予め記憶された予定の文字と前記予定の文字のソースデータとの対応関係に応じて、前記初期化音声信号をデコードすることにより、初期化データのソースデータを取得し、
前記初期化データのソースデータに応じてスマートホームの初期化を行うように構成され、
前記初期化音声信号は前記スマートホームの前記初期化データのソースデータをエンコードして得られる対象文字の音声信号であり、
前記予定の文字は少なくとも前記対象文字を含むことを特徴とするスマートホームの初期化装置。
【請求項１４】
コンピュータ命令を記憶していて、前記命令がプロセッサーにより実行される場合、請求項１から請求項６のうちいずれか１項に記載の方法のステップを実現することを特徴とするコンピュータによって読み取り可能な記録媒体。
【発明の詳細な説明】
【技術分野】
【０００１】
本発明は、スマートホーム技術分野に関し、特に、スマートホームの初期化方法、及び装置に関する。
【背景技術】
【０００２】
現在、スマートホームが初期化の完了前にネットワークに接続されていないので、スマートホームの初期化を完了させるために、通常ブルートゥース（登録商標）などの近距離通信方式でスマートホームに初期化データを伝送する必要がある。しかしながら、このような伝送方式は、ブルートゥース（登録商標）などの近距離通信方式をサポートするハードウェアのバージョン、伝送距離などに関して厳しい要求があるが、実際には、様々なものに関する要求を満すことはできない場合が多い。これにより、初期化データの入力効率が低いものになり、例えば、上記ハードウェアのバージョンが古すぎる場合、近距離通信方式でスマートホームに初期化データを伝送することができなく、或いは距離が遠すぎる場合、初期化データを伝送することもできない。
【発明の概要】
【発明が解決しようとする課題】
【０００３】
本発明の実施例では、スマートホームの初期化方法、及び装置を提供する。
【課題を解決するための手段】
【０００４】
本発明の技術案は以下のどおりである。
【０００５】
本発明の第１の態様によれば、スマートホームの初期化方法が提供され、前記方法は、
対象機器が再生した初期化音声信号を受信するステップと、
予め記憶された予定の文字と前記予定の文字のソースデータとの対応関係に応じて、前記初期化音声信号をデコードすることにより、初期化データのソースデータを取得するステップと、
前記初期化データのソースデータに応じて、前記スマートホームの初期化を行うステップと、を含み、
前記初期化音声信号は前記スマートホームの前記初期化データのソースデータをエンコードして得られる対象文字の音声信号であり、
前記予定の文字は少なくとも前記対象文字を含む。
【０００６】
一実施例において、予め記憶された前記予定の文字と前記予定の文字のソースデータとの対応関係に応じて、前記初期化音声信号をデコードすることにより、前記初期化データのソースデータを取得するステップは、
前記初期化音声信号に対して認識を行い、前記対象文字を取得するステップと、
前記予定の文字と前記予定の文字のソースデータとの対応関係及び前記対象文字に応じて、前記初期化データのソースデータを取得するステップと、を含む。
【０００７】
一実施例において、前記初期化音声信号に対して認識を行い、前記対象文字を取得するステップの前に、前記方法は、
前記予定の文字の音声信号に応じて、前記スマートホームに対してトレーニングを行うことにより、前記スマートホームに前記予定の文字を認識させるステップと、
前記予定の文字と前記予定の文字のソースデータとを対応づけて記憶し、前記対応関係を取得するステップと、をさらに含む。
【０００８】
一実施例において、前記対象文字は、前記対象機器により前記予定の文字と前記予定の文字のソースデータとの対応関係に応じて、前記初期化データのソースデータをエンコードして得られる文字である。
【０００９】
一実施例において、前記初期化データのソースデータは前記初期化データの２進コード、８進コード及び１６進コード中の少なくとも１つを含む。
【００１０】
一実施例において、前記初期化データのソースデータに応じて前記スマートホームの初期化を行うステップは、
前記初期化データのソースデータに応じて、前記スマートホームがネットワーク接続操作を行うように制御するステップと、
前記初期化データのソースデータに応じて、前記スマートホームに対応するユーザー情報を保存するステップと、
前記初期化データのソースデータに応じて選択可能な機能オプションを表示するステップ中の少なくとも１つを含む。
【００１１】
本発明の第２の態様によれば、スマートホームの初期化装置が提供され、前記装置は、
対象機器が再生した初期化音声信号を受信するために用いられる受信モジュールと、
予め記憶された予定の文字と前記予定の文字のソースデータとの対応関係に応じて、前記初期化音声信号をデコードすることにより、初期化データのソースデータを取得するために用いられるデコードモジュールと、
前記初期化データのソースデータに応じて前記スマートホームの初期化を行うために用いられる初期化モジュールと、を含み、
前記初期化音声信号は前記スマートホームの前記初期化データのソースデータをエンコードして得られる対象文字の音声信号であり、
前記予定の文字は少なくとも前記対象文字を含む。
【００１２】
一実施例において、前記デコードモジュールは、
前記初期化音声信号に対して認識を行い、前記対象文字を取得するために用いられる認識サブモジュールと、
前記予定の文字と前記予定の文字のソースデータとの対応関係及び前記対象文字に応じて、前記初期化データのソースデータを取得するために用いられる取得サブモジュールと、を含む。
【００１３】
一実施例において、前記装置は、
前記初期化音声信号に対して認識を行い、前記対象文字を取得する前に、前記予定の文字の音声信号に応じて前記スマートホームに対してトレーニングを行うことにより、前記スマートホームに前記予定の文字を認識させるために用いられるトレーニングモジュールと、
前記予定の文字と前記予定の文字のソースデータとを対応づけて記憶し、前記対応関係を取得するために用いられる取得モジュールと、をさらに含む。
【００１４】
一実施例において、前記対象文字は、前記対象機器により前記予定の文字と前記予定の文字のソースデータとの対応関係に応じて、前記初期化データのソースデータをエンコードして得られる文字である。
【００１５】
一実施例において、前記初期化データのソースデータは前記初期化データの２進コード、８進コード及び１６進コード中の少なくとも１つを含む。
【００１６】
一実施例において、前記初期化データのソースデータに応じて前記スマートホームの初期化を行うことは、
前記初期化データのソースデータに応じて前記スマートホームがネットワーク接続操作を行うように制御することと、
前記初期化データのソースデータに応じて前記スマートホームに対応するユーザー情報を保存することと、
前記初期化データのソースデータに応じて選択可能な機能オプションを表示すること中の少なくとも１つを含む。
【００１７】
本発明の第３の態様によれば、スマートホームの初期化装置が提供され、前記装置は、
プロセッサーと、
前記プロセッサーで実行可能な命令を記憶するためのメモリを備え、
前記プロセッサーは、
対象機器が再生した初期化音声信号を受信し、
予め記憶された予定の文字と前記予定の文字のソースデータとの対応関係に応じて、前記初期化音声信号をデコードすることにより、初期化データのソースデータを取得し、
前記初期化データのソースデータに応じて前記スマートホームの初期化を行うように構成され、
前記初期化音声信号は前記スマートホームの前記初期化データのソースデータをエンコードして得られる対象文字の音声信号であり、
前記予定の文字は少なくとも前記対象文字を含む。
【００１８】
本発明の第４の態様によれば、コンピュータ命令を記憶しているコンピュータが読み取り可能な記録媒体が提供され、前記命令がプロセッサーにより実行される場合、上述した第１の態様に係る実施例に記載されている方法のステップを実現する。
【発明の効果】
【００１９】
本発明が提供する技術案によれば、下記のような有益な効果を含むことができる。即ち、上述した技術案によれば、スマートホームの初期化音声信号を受信した場合、予め記憶された予定の文字と予定の文字のソースデータとの対応関係により、初期化音声信号を自動的にデコードすることにより、初期化データのソースデータを取得することができ、さらに当該初期化データのソースデータに応じてスマートホームの初期化を自動的に行うことにより、スマートデバイスと対象機器におけるハードウェア及び通信距離について過度な要求を必要としない上で、初期化音声信号により初期化データの入力効率を向上させ、且つスマートホームに対する初期化操作を自動的に完成させることができる。
【００２０】
なお、前記一般的な記載及び後述の詳細な記載は、単なる例示的で解釈的な記載であり、本発明を限定しない。
【図面の簡単な説明】
【００２１】
以下の図面は、明細書に組み入れて本明細書の一部分を構成し、本発明に該当する実施例を例示するとともに、明細書とともに本発明の原理を解釈するように構成される。
【図１】一例示的な実施例に係る、スマートホームの初期化方法を示すフローチャートである。
【図２】一例示的な実施例に係る、他のスマートホームの初期化方法を示すフローチャートである。
【図３】一例示的な実施例に係る、さらに他のスマートホームの初期化方法を示すフローチャートである。
【図４】一例示的な実施例に係る、スマートホームの初期化装置を示すブロック図である。
【図５】一例示的な実施例に係る、他のスマートホームの初期化装置を示すブロック図である。
【図６】一例示的な実施例に係る、さらに他のスマートホームの初期化装置を示すブロック図である。
【図７】一例示的な実施例に係る、スマートホームに適用する初期化装置を示すブロック図である。
【発明を実施するための形態】
【００２２】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施例に記載の実施形態は、本発明と一致する全ての実施形態を代表するものではない。即ち、それらは、特許請求の範囲に記載の本発明のある側面に一致する装置及び方法の例に過ぎない。
【００２３】
現在、スマートホームが初期化の完了前にネットワークに接続されていないので、スマートホームの初期化を完了させるために、通常ブルートゥース（登録商標）などの近距離通信方式でスマートホームに初期化データを伝送する必要がある。しかしながら、このような伝送方式は、ブルートゥース（登録商標）などの近距離通信方式をサポートするハードウェアのバージョン、伝送距離などに関して厳しい要求があるが、実際には、様々なものに関する要求を満すことはできない場合が多い。これにより、初期化データの入力効率がしばしば低いものになり、スマートホームの通常初期化に影響を与え、例えば、仮に上記ハードウェアのバージョンが古すぎる場合、近距離通信方式でスマートホームに初期化データを伝送することができなく、或いは仮に距離が遠すぎる場合、初期化データを伝送することもできない。
【００２４】
上記の技術課題を解決するために、本発明はスマートホームの初期化方法を提供し、前記方法は、スマートホームの初期化プログラム、システム又は装置に用いられることができ、且つ当該方法に対応する実行主体はスマートスピーカ、スマート冷蔵庫、スマート洗濯機、スマート電気炊飯器などのスマートホーム（各スマートデバイス）であってよい。図１に示すように、この方法はステップＳ１０１ないしステップＳ１０３を含む。
【００２５】
ステップＳ１０１において、対象機器が再生した初期化音声信号を受信し、ここで初期化音声信号はスマートホームの初期化データのソースデータをエンコードして得られる対象文字の音声信号であり、
初期化データのソースデータは初期化データの２進コード、８進コード及び１６進コードを含むが、それらに限らなく、
対象機器は、当該初期化データのソースデータを受信／記憶する携帯電話などの端末機器であってよい。
【００２６】
ステップＳ１０２において、予め記憶された予定の文字と予定の文字のソースデータとの対応関係に応じて、初期化音声信号をデコードすることにより、初期化データのソースデータを取得し、ここで予定の文字は少なくとも対象文字を含む。
【００２７】
予定の文字は対象文字を含むが、それらに限らなく、対象文字以外の他の文字をさらに含めてもよい。
【００２８】
ステップＳ１０３において、初期化データのソースデータに応じてスマートホームの初期化を行う。
【００２９】
スマートホームの初期化音声信号を受信した場合、予め記憶された予定の文字と予定の文字のソースデータとの対応関係により、初期化音声信号を自動的にデコードすることにより、初期化データのソースデータを取得することができ、そして当該初期化データのソースデータに応じてスマートホームの初期化を自動的に行うことにより、スマートデバイスと対象機器におけるハードウェア及び通信距離について過度な要求を必要としない上で、初期化音声信号により初期化データの入力効率を向上させ、且つスマートホームに対する初期化操作を自動的に完成させることができる。
【００３０】
図２に示すように、一実施例において、上記図１に示すステップＳ１０２、即ち、予め記憶された予定の文字と予定の文字のソースデータとの対応関係に応じて、初期化音声信号をデコードすることにより、初期化データのソースデータを取得するステップは、ステップＳ２０１とステップＳ２０２とを含むことができる。
【００３１】
ステップＳ２０１において、初期化音声信号に対して認識を行い、対象文字を取得する。
【００３２】
ステップＳ２０２において、予定の文字と予定の文字のソースデータとの対応関係及び対象文字に応じて、初期化データのソースデータを取得する。
【００３３】
初期化音声信号をデコードするときに、先ず対象文字の初期化音声信号に対して認識を行うことにより当該対象文字を正確に認識し、さらに、予定の文字と予定の文字のソースデータとの対応関係及び対象文字に応じて、当該初期化データのソースデータを正確に確定することができる。
【００３４】
図３に示すように、一実施例において、上記方法は、図２に示すステップＳ２０１を実行する前に、即ち、初期化音声信号に対して認識を行い、対象文字を取得する前に、ステップＳ３０１とステップＳ３０２とをさらに含むことができる。
【００３５】
ステップＳ３０１において、予定の文字の音声信号に応じてスマートホームに対してトレーニングを行うことにより、スマートホームに予定の文字を認識させる。
【００３６】
ステップＳ３０２において、予定の文字と予定の文字のソースデータとを対応づけて記憶し、対応関係を取得する。
【００３７】
予定の文字の音声信号に応じてスマートホームに対してトレーニングを行うことにより、スマートホームに音声認識機能を持たせ、トレーニングされた予定の文字を正確に認識させることができる。このようにして、初期化音声信号を受信したときに、ネットワークがなくても、ローカルで当該初期化音声信号の対象文字を正確に認識することができる。勿論、初期化データのソースデータに変更がある可能性があるので、初期化音声信号にも変更がある可能性がある。従って、予定の文字を適宜増加することにより、スマートホームが高い音声認識率を有することを確保する。
【００３８】
予定の文字と予定の文字のソースデータとを対応づけて記憶することにより、認識された対象文字に応じてそれに対応するソースデータ、即ち、初期化データのソースデータを正確に確定できることを確保することができる。
【００３９】
一実施例において、対象文字は、対象機器により予定の文字と予定の文字のソースデータとの対応関係に応じて、初期化データのソースデータをエンコードして得られる文字である。
【００４０】
対象機器が受信したのが初期化データのソースデータであるので、スマートホームがデコードを通して当該初期化データのソースデータを取得するように、当該予定の文字と当該予定の文字のソースデータとの対応関係に応じて、スマートデバイスにより初期化データのソースデータを自動的に認識され得る対象文字にエンコードすることができる。
【００４１】
一実施例において、初期化データのソースデータは初期化データの２進コード、８進コード及び１６進コード中の少なくとも１つを含む。
【００４２】
初期化データのソースデータは、上記幾つかの種類を含むが、それらに限らなく、当業者は必要に応じて任意に異なる種類のソースデータを入力することができ、本発明はそれに対して限定しない。
【００４３】
勿論、予定の文字のソースデータも上記幾つかの種類を含むが、それらに限らなく、予定の文字は数字、アルファベット、漢字などであってもよい。
【００４４】
一実施例において、初期化データのソースデータに応じてスマートホームの初期化を行うステップは、
初期化データのソースデータに応じてスマートホームがネットワーク接続操作を行うように制御するステップと、
初期化データのソースデータに応じてスマートホームに対応するユーザー情報を保存するステップと、
初期化データのソースデータに応じて選択可能な機能オプションを表示するステップ中の少なくとも１つを含む。
【００４５】
初期化データの内容には、スマートホームのネットワーク接続情報（例えば接続されるＷＩＦＩと当該ＷＩＦＩを接続するためのパスワード）、ユーザー情報（例えばスマートホームの管理者の情報など、例えば管理者のアカウント、ログインのパスワードなど）、オンにする必要がする機能などが含まれているが、それらに限らなく、従って、初期化データのソースデータに応じてスマートホームに対してネットワーク接続操作、ユーザー情報の保存、選択可能な機能オプションの表示などの操作を行えることにより、音声方式でスマートホームの初期化操作を自動的に完成させ、且つスマートホームと対象機器のハードウェア、距離などに関して余計な要求をすることを抑制する。
【００４６】
本発明に提供された上記スマートホームの初期化方法に対応し、本発明はスマートホームの初期化装置をさらに提供し、図４に示すように、前記装置は、
対象機器が再生した初期化音声信号を受信するように構成される受信モジュール４０１と、
予め記憶された予定の文字と予定の文字のソースデータとの対応関係に応じて、初期化音声信号をデコードすることにより、初期化データのソースデータを取得するように構成されるデコードモジュール４０２と、
初期化データのソースデータに応じてスマートホームの初期化を行うように構成される初期化モジュール４０３と、を含み、
初期化音声信号はスマートホームの初期化データのソースデータをエンコードして得られる対象文字の音声信号であり、
予定の文字は少なくとも対象文字を含む。
【００４７】
図５に示すように、一実施例において、上記図４に示すデコードモジュール４０２は、認識サブモジュール４０２１と取得サブモジュール４０２２とを含むことができる。
【００４８】
認識サブモジュール４０２１は、初期化音声信号に対して認識を行い、対象文字を取得するように構成される。
【００４９】
取得サブモジュール４０２２は、予定の文字と予定の文字のソースデータとの対応関係及び対象文字に応じて、初期化データのソースデータを取得するように構成される。
【００５０】
図６に示すように、一実施例において、上記装置は、レーニングモジュール６０１と、取得モジュール６０２と、をさらに含むことができる。
【００５１】
レーニングモジュール６０１は、初期化音声信号に対して認識を行い、対象文字を取得する前に、予定の文字の音声信号に応じてスマートホームに対してトレーニングを行うことにより、スマートホームに予定の文字を認識させるように構成される。
【００５２】
取得モジュール６０２は、予定の文字と予定の文字のソースデータとを対応づけて記憶し、対応関係を取得するように構成される。
【００５３】
一実施例において、対象文字は、対象機器により予定の文字と予定の文字のソースデータとの対応関係に応じて、初期化データのソースデータをエンコードして得られる文字である。
【００５４】
一実施例において、初期化データのソースデータは初期化データの２進コード、８進コード及び１６進コード中の少なくとも１つを含む。
【００５５】
一実施例において、初期化データのソースデータに応じてスマートホームの初期化を行うことは、
初期化データのソースデータに応じてスマートホームがネットワーク接続操作を行うように制御することと、
初期化データのソースデータに応じてスマートホームに対応するユーザー情報を保存することと、
初期化データのソースデータに応じて選択可能な機能オプションを表示すること中の少なくとも１つを含む。
【００５６】
本発明の第３の態様によれば、スマートホームの初期化装置を提供し、前記装置は、
プロセッサーと、
前記プロセッサーで実行可能な命令を記憶するためのメモリを備え、
前記プロセッサーは、
対象機器が再生した初期化音声信号を受信し、
予め記憶された予定の文字と前記予定の文字のソースデータとの対応関係に応じて、前記初期化音声信号をデコードすることにより、初期化データのソースデータを取得し、
前記初期化データのソースデータに応じて前記スマートホームの初期化を行うように構成され、
前記初期化音声信号は前記スマートホームの前記初期化データのソースデータをエンコードして得られる対象文字の音声信号であり、
前記予定の文字は少なくとも前記対象文字を含む。
【００５７】
また、上記プロセッサーは、
予め記憶された前記予定の文字と前記予定の文字のソースデータとの対応関係に応じて、前記初期化音声信号をデコードすることにより、前記初期化データのソースデータを取得することは、
前記初期化音声信号に対して認識を行い、前記対象文字を取得することと、
前記予定の文字と前記予定の文字のソースデータとの対応関係及び前記対象文字に応じて、前記初期化データのソースデータを取得することと、を含むようにさらに構成されることができる。
【００５８】
また、上記プロセッサーは、
前記初期化音声信号に対して認識を行い、前記対象文字を取得する前に、前記方法は、
前記予定の文字の音声信号に応じて前記スマートホームに対してトレーニングを行うことにより、前記スマートホームに前記予定の文字を認識させるステップと、
前記予定の文字と前記予定の文字のソースデータとを対応づけて記憶し、前記対応関係を取得するステップと、をさらに含むようにさらに構成されることができる。
【００５９】
また、上記プロセッサーは、
前記対象文字は、前記対象機器により前記予定の文字と前記予定の文字のソースデータとの対応関係に応じて、前記初期化データのソースデータをエンコードして得られる文字であるようにさらに構成されることができる。
【００６０】
また、上記プロセッサーは、
前記初期化データのソースデータは前記初期化データの２進コード、８進コード及び１６進コード中の少なくとも１つを含むようにさらに構成されることができる。
【００６１】
また、上記プロセッサーは、
前記初期化データのソースデータに応じて前記スマートホームの初期化を行うことは、
前記初期化データのソースデータに応じて前記スマートホームがネットワーク接続操作を行うように制御することと、
前記初期化データのソースデータに応じて前記スマートホームに対応するユーザー情報を保存することと、
前記初期化データのソースデータに応じて選択可能な機能オプションを表示すること中の少なくとも１つを含むようにさらに構成されることができる。
【００６２】
図７は、一例示的な実施例に係るスマートホームに用いられる７００を示すブロック図であり、前記装置は端末機器に適用する。例えば、装置７００は、携帯電話、コンピュータ、デジタルブロードキャスト端末、メッセージ送受信機、ゲームコンソール、タブレットデバイス、医療機器、フィットネス機器、個人向け携帯型情報端末機器（ＰＤＡ）などであってもよい。
【００６３】
図７を参照すると、装置７００は、処理手段７０２、メモリ７０４、電源手段７０６、マルチメディア手段７０８、オーディオ手段７１０、入力／出力（Ｉ／Ｏ）インタフェース７１２、センサー手段７１４、及び通信手段７１６からなる群から選ばれる少なくとも１つを備えてもよい。
【００６４】
処理手段７０２は、一般的には、装置７００の全体の操作、例えば、表示、電話呼び出し、データ通信、カメラ操作及び記録操作に関連する操作を制御する。処理手段７０２は、上述した方法におけるステップの一部又は全部を実現できるように、命令を実行する少なくとも１つのプロセッサー７２０を備えてもよい。また、処理手段７０２は、他の手段とのインタラクションを便利にさせるように、少なくとも１つのモジュールを備えてもよい。例えば、処理手段７０２は、マルチメディア手段７０８とのインタラクションを便利にさせるように、マルチメディアモジュールを備えてもよい。
【００６５】
メモリ７０４は、装置７００での操作をサポートするように、各種のデータを記憶するように構成される。これらのデータは、例えば、装置７００で何れのアプリケーション又は方法を操作するための命令、連絡先データ、電話帳データ、メッセージ、画像、ビデオなどを含む。メモリ７０４は、何れの種類の揮発性又は不揮発性メモリ、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  Ｒｅａｄ  Ｏｎｌｙ  Ｍｅｍｏｒｙ）、ＲＯＭ（Ｒｅａｄ  Ｏｎｌｙ  Ｍｅｍｂｅｒ）、磁気メモリ、フラッシュメモリ、磁気ディスク、又は光ディスクにより、又はそれらの組み合わせにより実現することができる。
【００６６】
電源手段７０６は、装置７００の各種手段に電力を供給するためのものであり、電源管理システム、少なくとも１つの電源、及び装置７００のために電力を生成、管理及び分配することに関連する他の手段を備えてもよい。
【００６７】
マルチメディア手段７０８は、装置７００とユーザーとの間に出力インタフェースを提供するスクリーンを備えてもよい。一実施例では、スクリーンは、例えば、液晶ディスプレイ（ＬＣＤ）やタッチパネル（ＴＰ）を備えてもよい。スクリーンは、タッチパネルを備える場合、ユーザーからの入力信号を受信するように、タッチスクリーンになることができる。また、タッチパネルは、タッチや、スライドや、タッチパネル上の手振りを感知するように、少なくとも１つのタッチセンサーを有する。前記タッチセンサーは、タッチやスライド動作の境界を感知できるだけではなく、タッチやスライド操作と関連する持続時間や圧力も感知できる。一実施例では、マルチメディア手段７０８は、フロントカメラ及び／又はバックカメラを有してもよい。装置７００が、例えば、撮影モードやビデオモードのような操作モードにある時、フロントカメラ及び／又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【００６８】
オーディオ手段７１０は、オーディオ信号を出力及び／又は入力するように配置される。例えば、オーディオ手段７１０は、マイクロフォン（ＭｉＣ）を有してもよい。装置７００が、例えば、呼び出しモード、記録モード、又は音声認識モードのような操作モードにあるとき、マイクロフォンは、外部のオーディオ信号を受信するように構成される。受信したオーディオ信号は、メモリ７０４にさらに記憶されてもよいし、通信手段７１６を介して送信されてもよい。一実施例では、オーディオ手段７１０は、オーディオ信号を出力するためのスピーカをさらに備えてもよい。
【００６９】
Ｉ／Ｏインタフェース７１２は、処理手段７０２と外部のインタフェースモジュールとの間にインタフェースを提供するためのものである。上記外部のインタフェースモジュールは、キーボードや、クリックホイールや、ボタンなどであってもよい。これらのボタンは、ホームボタンや、音量ボタンや、スタートボタンや、ロックボタンであってもよいが、それらに限らない。
【００７０】
センサー手段７１４は、装置７００のために各方面の状態を評価する少なくとも１つのセンサーを備えてもよい。例えば、センサー手段７１４は、装置７００のオン／オフ状態や、手段の相対的な位置を検出することができる。例えば、前記手段は、装置７００のディスプレイ及びキーパッドである。センサー手段７１４は、装置７００又は装置７００の１つの手段の位置の変化、ユーザーによる装置７００への接触の有無、装置７００の方向又は加速／減速、装置７００の温度変化などを検出することができる。センサー手段７１４は、何れの物理的な接触もない場合に付近の物体を検出するように構成される近接センサーを有してもよい。センサー手段７１４は、イメージングアプリケーションに用いるための光センサー、例えば、ＣＭＯＳ又はＣＣＤ画像センサーを有してもよい。一実施例では、当該センサー手段７１４は、加速度センサー、ジャイロスコープセンサー、磁気センサー、圧力センサー又は温度センサーをさらに備えてもよい。
【００７１】
通信手段７１６は、装置７００と他の設備の間との無線又は有線通信を便利にさせるように構成される。装置７００は、通信標準に基づく無線ネットワーク、例えば、ＷｉＦｉ、２Ｇ又は３Ｇ、又はそれらの組み合わせにアクセスできる。１つの例示的な実施例では、通信手段７１６は、ブロードキャストチャンネルを介して外部のブロードキャスト管理システムからのブロードキャスト信号又はブロードキャストに関する情報を受信する。１つの例示的な実施例では、前記通信手段７１６は、近距離通信を促進するために近距離無線通信（ＮＦＣ）モジュールをさらに備えてもよい。例えば、ＮＦＣモジュールは、無線周波数認識装置（ＲＦＩＤ：Ｒａｄｉｏ  Ｆｒｅｑｕｅｎｃｙ  ＩＤｅｎｔｉｆｉｃａｔｉｏｎ）技術、赤外線データ協会（ＩｒＤＡ：Ｉｎｆｒａｒｅｄ  Ｄａｔａ  Ａｓｓｏｃｉａｔｉｏｎ）技術、超広帯域無線（ＵＷＢ：Ｕｌｔｒａ  Ｗｉｄｅ  Ｂａｎｄ）技術、ブルートゥース（登録商標）（ＢＴ：Ｂｌｕｅｔｏｏｔｈ（登録商標））技術及び他の技術によって実現されてもよい。
【００７２】
例示的な実施例では、装置７００は、上述した方法を実行するために、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサー（ＤＳＰ：Ｄｉｇｉｔａｌ  Ｓｉｇｎａｌ  Ｐｒｏｃｅｓｓｏｒ）、デジタル信号処理デバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラマブルロジックデバイス（ＰＬＤ：Ｐｒｏｇｒａｍｍａｂｌｅ  Ｌｏｇｉｃ  Ｄｅｖｉｃｅ）、書替え可能ゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサー、又は他の電子機器によって実現されてもよい。
【００７３】
例示的な実施例では、命令を有する非一時的コンピュータ読み取り可能な記録媒体、例えば、命令を有するメモリ７０４をさらに提供する。前記命令は、装置７００のプロセッサー７２０により実行されて上述した方法を実現する。例えば、前記非一時的コンピュータ読み取り可能な記録媒体は、ＲＯＭ、ＲＡＭ、ＣＤ−ＲＯＭ、磁気テープ、フロッピー（登録商標）ディスク及び光データメモリなどであってもよい。
【００７４】
コンピュータが読み取り可能な不揮発性記録媒体は、前記記録媒体に記録された命令が上記装置７００のプロセッサーにより実行される場合、上記装置７００がスマートホームの初期化方法を実行するようさせ、前記方法は、
対象機器が再生した初期化音声信号を受信するステップと、
予め記憶された予定の文字と前記予定の文字のソースデータとの対応関係に応じて、前記初期化音声信号をデコードすることにより、初期化データのソースデータを取得するステップと、
前記初期化データのソースデータに応じて、前記スマートホームの初期化を行うステップと、を含み、
前記初期化音声信号は前記スマートホームの前記初期化データのソースデータをエンコードして得られる対象文字の音声信号であり、
前記予定の文字は少なくとも前記対象文字を含む。
【００７５】
一実施例において、予め記憶された前記予定の文字と前記予定の文字のソースデータとの対応関係に応じて、前記初期化音声信号をデコードすることにより、初期化データのソースデータを取得するステップは、
前記初期化音声信号に対して認識を行い、前記対象文字を取得するステップと、
前記予定の文字と前記予定の文字のソースデータとの対応関係及び前記対象文字に応じて、前記初期化データのソースデータを取得するステップと、を含む。
【００７６】
一実施例において、前記初期化音声信号に対して認識を行い、前記対象文字を取得するステップの前に、前記方法は、
前記予定の文字の音声信号に応じて、前記スマートホームに対してトレーニングを行うことにより、前記スマートホームに前記予定の文字を認識させるステップと、
前記予定の文字と前記予定の文字のソースデータとを対応づけて記憶し、前記対応関係を取得するステップと、をさらに含む。
【００７７】
一実施例において、前記対象文字は、前記対象機器により前記予定の文字と前記予定の文字のソースデータとの対応関係に応じて、前記初期化データのソースデータをエンコードして得られる文字である。
【００７８】
一実施例において、前記初期化データのソースデータは前記初期化データの２進コード、８進コード及び１６進コード中の少なくとも１つを含む。
【００７９】
一実施例において、前記初期化データのソースデータに応じて前記スマートホームの初期化を行うステップは、
前記初期化データのソースデータに応じて、前記スマートホームがネットワーク接続操作を行うように制御するステップと、
前記初期化データのソースデータに応じて、前記スマートホームに対応するユーザー情報を保存するステップと、
前記初期化データのソースデータに応じて選択可能な機能オプションを表示するステップとの中の少なくとも１つを含む。
【００８０】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、単に例示的なものであって、本発明の本当の範囲と主旨は、以下の特許請求の範囲によって示される。
【００８１】
本発明は、前記で記述され、図面で図示した特定の構成に限定されず、その範囲を離脱しない状況で、様々な修正や変更を実施してもよい。本発明の範囲は、添付される特許請求の範囲のみにより限定される。
【図１】
2019525267.tif 000003
【図２】
2019525267.tif 000004
【図３】
2019525267.tif 000005
【図４】
2019525267.tif 000006
【図５】
2019525267.tif 000007
【図６】
2019525267.tif 000008
【図７】
2019525267.tif 000009
【手続補正書】
【提出日】平成29年10月4日(2017.10.4)
【手続補正２】
【補正対象書類名】明細書
【補正対象項目名】０００１
【補正方法】変更
【補正の内容】
【０００１】
本発明は、スマートホーム技術分野に関し、特に、スマートホームの初期化方法、装置、プログラム及び記録媒体に関する。
【手続補正３】
【補正対象書類名】明細書
【補正対象項目名】０００３
【補正方法】変更
【補正の内容】
【０００３】
本発明の実施例では、スマートホームの初期化方法、装置、プログラム及び記録媒体を提供する。
【手続補正４】
【補正対象書類名】明細書
【補正対象項目名】００１８
【補正方法】変更
【補正の内容】
【００１８】
本発明の第４の態様によれば、プログラムが提供され、前記プログラムは、プロセッサーにより実行されることにより、上述した第１の態様に係る実施例に記載されている方法のステップを実現する。
本発明の第５の態様によれば、前記プログラムを記憶しているコンピュータが読み取り可能な記録媒体が提供され、前記プログラムがプロセッサーにより実行される場合、上述した第１の態様に係る実施例に記載されている方法のステップを実現する。
【手続補正５】
【補正対象書類名】特許請求の範囲
【補正対象項目名】全文
【補正方法】変更
【補正の内容】
【特許請求の範囲】
【請求項１】
対象機器が再生した初期化音声信号を受信するステップと、
予め記憶された予定の文字と前記予定の文字のソースデータとの対応関係に応じて、前記初期化音声信号をデコードすることにより、初期化データのソースデータを取得するステップと、
前記初期化データのソースデータに応じて、スマートホームの初期化を行うステップと、を含み、
前記初期化音声信号は前記スマートホームの前記初期化データのソースデータをエンコードして得られる対象文字の音声信号であり、
前記予定の文字は少なくとも前記対象文字を含むことを特徴とするスマートホームの初期化方法。
【請求項２】
予め記憶された前記予定の文字と前記予定の文字のソースデータとの対応関係に応じて、前記初期化音声信号をデコードすることにより、前記初期化データのソースデータを取得するステップは、
前記初期化音声信号に対して認識を行い、前記対象文字を取得するステップと、
前記予定の文字と前記予定の文字のソースデータとの対応関係及び前記対象文字に応じて、前記初期化データのソースデータを取得するステップと、を含むことを特徴とする請求項１に記載のスマートホームの初期化方法。
【請求項３】
前記初期化音声信号に対して認識を行い、前記対象文字を取得するステップの前に、前記方法は、
前記予定の文字の音声信号に応じて、前記スマートホームに対してトレーニングを行うことにより、前記スマートホームに前記予定の文字を認識させるステップと、
前記予定の文字と前記予定の文字のソースデータとを対応づけて記憶し、前記対応関係を取得するステップと、をさらに含むことを特徴とする請求項２に記載のスマートホームの初期化方法。
【請求項４】
前記対象文字は、前記対象機器により前記予定の文字と前記予定の文字のソースデータとの対応関係に応じて、前記初期化データのソースデータをエンコードして得られる文字であることを特徴とする請求項１に記載のスマートホームの初期化方法。
【請求項５】
前記初期化データのソースデータは前記初期化データの２進コード、８進コード及び１６進コード中の少なくとも１つを含むことを特徴とする請求項１から請求項４のうちいずれか１項に記載のスマートホームの初期化方法。
【請求項６】
前記初期化データのソースデータに応じて前記スマートホームの初期化を行うステップは、
前記初期化データのソースデータに応じて、前記スマートホームがネットワーク接続操作を行うように制御するステップと、
前記初期化データのソースデータに応じて、前記スマートホームに対応するユーザー情報を保存するステップと、
前記初期化データのソースデータに応じて選択可能な機能オプションを表示するステップ中の少なくとも１つを含むことを特徴とする請求項１から請求項４のうちいずれか１項に記載のスマートホームの初期化方法。
【請求項７】
対象機器が再生した初期化音声信号を受信するために用いられる受信モジュールと、
予め記憶された予定の文字と前記予定の文字のソースデータとの対応関係に応じて、前記初期化音声信号をデコードすることにより、初期化データのソースデータを取得するために用いられるデコードモジュールと、
前記初期化データのソースデータに応じてスマートホームの初期化を行うために用いられる初期化モジュールと、を含み、
前記初期化音声信号は前記スマートホームの前記初期化データのソースデータをエンコードして得られる対象文字の音声信号であり、
前記予定の文字は少なくとも前記対象文字を含むことを特徴とするスマートホームの初期化装置。
【請求項８】
前記デコードモジュールは、
前記初期化音声信号に対して認識を行い、前記対象文字を取得するために用いられる認識サブモジュールと、
前記予定の文字と前記予定の文字のソースデータとの対応関係及び前記対象文字に応じて、前記初期化データのソースデータを取得するために用いられる取得サブモジュールと、を含むことを特徴とする請求項７に記載のスマートホームの初期化装置。
【請求項９】
前記初期化音声信号に対して認識を行い、前記対象文字を取得する前に、前記予定の文字の音声信号に応じて前記スマートホームに対してトレーニングを行うことにより、前記スマートホームに前記予定の文字を認識させるために用いられるトレーニングモジュールと、
前記予定の文字と前記予定の文字のソースデータとを対応づけて記憶し、前記対応関係を取得するために用いられる取得モジュールと、をさらに含むことを特徴とする請求項８に記載のスマートホームの初期化装置。
【請求項１０】
前記対象文字は、前記対象機器により前記予定の文字と前記予定の文字のソースデータとの対応関係に応じて、前記初期化データのソースデータをエンコードして得られる文字であることを特徴とする請求項７に記載のスマートホームの初期化装置。
【請求項１１】
前記初期化データのソースデータは前記初期化データの２進コード、８進コード及び１６進コード中の少なくとも１つを含むことを特徴とする請求項７から請求項１０のうちいずれか１項に記載のスマートホームの初期化装置。
【請求項１２】
前記初期化データのソースデータに応じて前記スマートホームの初期化を行うことは、
前記初期化データのソースデータに応じて前記スマートホームがネットワーク接続操作を行うように制御することと、
前記初期化データのソースデータに応じて前記スマートホームに対応するユーザー情報を保存することと、
前記初期化データのソースデータに応じて選択可能な機能オプションを表示すること中の少なくとも１つを含むことを特徴とする請求項７から請求項１０のうちいずれか１項に記載のスマートホームの初期化装置。
【請求項１３】
プロセッサーと、
前記プロセッサーで実行可能な命令を記憶するためのメモリとを備え、
前記プロセッサーは、
対象機器が再生した初期化音声信号を受信し、
予め記憶された予定の文字と前記予定の文字のソースデータとの対応関係に応じて、前記初期化音声信号をデコードすることにより、初期化データのソースデータを取得し、
前記初期化データのソースデータに応じてスマートホームの初期化を行うように構成され、
前記初期化音声信号は前記スマートホームの前記初期化データのソースデータをエンコードして得られる対象文字の音声信号であり、
前記予定の文字は少なくとも前記対象文字を含むことを特徴とするスマートホームの初期化装置。
【請求項１４】
プロセッサーに実行されることにより、請求項１から請求項６のいずれかに記載のスマートホームの初期化方法を実現することを特徴とするプログラム。
【請求項１５】
請求項１４に記載のプログラムが記録されたことを特徴とするコンピュータによって読み取り可能な記録媒体。
【国際調査報告】
2019525267.tif 000010
2019525267.tif 000011
2019525267.tif 000012
2019525267.tif 000013